(57)【要約】      （修正有）【課題】レコード盤をレコードプレーヤに載置した際に生ずる中心点からの偏差を検出し、レコード盤の位置ずれを矯正するアナログレコードの偏芯検出装置を提供する。【解決手段】アナログレコード盤の偏芯量を検出する第一のコイル１と、第二の固定コイル３と、これらコイルに各々接続されたＬＣ発振回路４と、これら二つの発振回路の出力信号からのビート信号を検出するビート検波回路５を持ち、ビート検波回路５による信号出力を音響出力として出力する。【選択図】図１
2019029049.tif 000002
【特許請求の範囲】
【請求項１】
レコードプレーヤーに載置されたアナログレコード盤の偏芯量を、レコード最内周溝におけるトーンアームのレコード偏芯量に従い、振られることを利用し、前記トーンアームの変動する箇所の近傍に検出手段を設置したことを特徴とするアナログレコードの偏芯検知装置。
【請求項２】
請求項１記載のアナログレコードの偏芯検知装置において、レコードの偏芯によるトーンアームの振れの検出手段が、検出用コイルと金属ウェイトなどが近接することによるインダクタンスの変動をＬＣ発振回路の発振周波数の変動に変える手段を用いたことを特徴とするアナログレコードの偏芯検知装置。
【請求項３】
請求項１および請求項２記載のアナログレコードの偏芯検知装置において、レコード盤の偏芯量を検出する第一のＬＣ発振回路と、安定した周波数で発振する第二の発振回路と、これらに各々接続された信号混合回路と、二つの発振回路の混合信号からの変動周波数の割合を拡張するためのビート信号を検出するビート検波回路を持ち、ビート検波回路による信号出力を人が感知可能な物理的変動として出力することを特徴とするアナログレコードの偏芯検知装置。
【請求項４】
請求項２および請求項３記載のアナログレコードの偏芯検知装置において、人が感知可能な物理的な変動出力に、音響信号を用いたことを特徴とするアナログレコードの偏芯検知装置。
【請求項５】
請求項２および請求項３記載のアナログレコードの偏芯検知装置において、人が感知可能な物理的な変動出力を、検出出力の周波数変動から電圧変動に変換し、メーターやメーターと類似の動作をさせるようにしたＬＥＤやＬＣＤなどの視覚に伝える手段を特徴とするアナログレコードの偏芯検知装置。
【発明の詳細な説明】
【技術分野】
【０００１】  本発明は、アナログレコード（以下、単にレコードという）の再生時に、レコード載置位置の偏芯を検出する装置に関する。
【背景技術】
【０００２】  アナログレコードの再生は、レコードプレーヤのターンテーブルにレコード盤を載置し、トーンアームに取り付けられたカートリッジがレコードの音声信号溝に追従し、音声溝の物理的変動を電気信号に変換し、これを増幅して再生する。【０００３】  レコード盤は、円盤中心部に穴が開いており、この穴をターンテーブルの中心部に設けられたスピンドルに差し込み、ターンテーブル面に置いて音響再生する。レコード盤の中心部の穴は、レコード盤の真の中心部に正確に開いていれば良いが、レコード盤作成時の加工精度により、僅かに偏芯している場合がある。また、ターテーブルの中心にあるスピンドルは、装着を容易にするため、その径は、レコード盤の穴より細く、遊びを持つようになっている。このため、レコードは、中心点から僅かにずれてターンテーブル上に載置される。【０００４】  従来から、高音質のレコード再生のためには、レコード盤の回転精度を上げるためターンテーブルの安定した回転のための試みが多くなされている。しかし、いくらレコードプレーヤの回転速度が安定していても、載置したレコードが中心位置からずれていると、トーンアームが左右に振られることになり、ワウフラッターが起こり、音程が不安定になると同時に、左右チャンネル間の位相ずれから、音質の濁りや音像が不安定になるなどの不都合を生じ、再生音質の劣化を招く。【０００５】  特にこの中心点からの位置ずれは、偏芯量が一定のため、レコード外周溝より、内周溝側に行くにつれ相対的に溝の変動割合が大きくなるので、再生音質への影響も大きくなる。具体的な規格によれば、スピンドル径は７．０５ｍｍから７．１５ｍｍ、レコードの穴径は７．２４ｍｍから７．３３ｍｍとなって、レコードの音溝の中心と穴のずれは０．２ｍｍ以下となっている。これらを基に計算するとワーストケースにおけるワウフラッター量は０．１５％（ＷＲＭＳ）にもなり、これは良くできたターンテーブルのワウフラッターに比べて１０倍も多い。【０００６】
【非特許文献１】「Ｎａｋａｍｉｃｈｉ  ＴＸ−１０００  カタログ」、ナカミチ株式会社
【０００７】  従来も、レコードの偏芯位置の矯正対策を施したレコードプレーヤが存在していて、たとえば、上記非特許文献１に記載された、ナカミチ株式会社が１９８１年に発売したＴＸ−１０００レコードプレーヤ、あるいは同社が１９８３年に発売したＤＲＡＧＯＮＣＴである。これらは、トーンアームとは別のセンサーアームを有し、センサーアームがレコード最内周溝をトレースし、光学的に位置変動を検出し、これを演算回路で演算して偏芯量を算出し、レコード穴挿入のスピンドルをターンテーブルに設けられた二軸、すなわちＸ方向に移動できるアクチュエーターを駆動させて回転中心部にレコードを移動調整できるものである。【０００８】  しかし、このような構成の矯正装置は、偏芯検出専用アーム、光学センサー、演算回路、アクチュエーター等多数の回路、部品で構成されるため、必然的にきわめて複雑で高価な装置となり一般的ではない。また、既存のレコードプレーヤに簡単に付加して用いることもできない欠点があった。
【発明の概要】
【発明が解決しようとする課題】
【０００９】  本発明は、前記したレコード盤をレコードプレーヤに載置した際に生ずる中心点からの偏差を簡単な装置で検出し、レコード盤の位置ずれを矯正することを目的としたものである。
【課題を解決するための手段】
【００１０】  第一の発明は、アナログレコード盤の偏芯量を検出する手段が、新たな専用アームを用いることなく、最内周のエンド溝におけるトーンアームのレコード偏芯量に従い、振られることを利用し、トーンアームの変動する箇所の近傍に検出手段を設置した装置である。【００１１】  次に、第二の発明は、レコードの偏芯によるトーンアームの振れの検出手段が第一コイルと金属ウェイトなどが近接することによるインダクタンスの変動をＬＣ発振回路の発振周波数の変動にかえる手段を用いたことを特徴とする装置である。【００１２】  第三の発明は、二個の発振器を用い、レコード盤の偏芯量を検出する第一のＬＣ発振回路と、安定した周波数で発振する第二の発振回路と、これらに各々接続された信号混合回路と、これら二つの発振回路の混合信号からの変動周波数の割合を拡張するためのビート信号を検出するビート検波回路を持ち、ビート検波回路による信号出力を人が感知可能な物理的変動として出力するようにした装置である。【００１３】  更に、第四の発明は、前記各発明において、人が感知可能な物理的な変動出力に、音響信号を用いたもので、より具体的には、変動出力を増幅し、スピーカーやイヤホン等から音響信号として出力させる装置である。【００１４】  また、第五の発明は、前記第一ないし第三の発明において、得られた周波数変動などの変動出力を電圧に変換し、メーターやメーターと似た動作をさせるべくＬＥＤやＬＣＤなどの視覚に伝える手段を持つことを特徴とする装置である。【００１５】  更に、これら発明のもう一つの特徴は、検知したレコードの偏心量の矯正を、操作者自身がおこなえることにある。すなわち、この発明では偏芯量を変換した物理的出力を人が感知し、その変動出力に従い、人がレコードの載置位置を変化させ、より偏芯度の少ない位置まで移動させるものである。勿論、機械構造によって自動的に矯正させることも可能である【００１６】  この発明において、アナログレコード盤の偏芯量の検出は、トーンアームがレコードの偏芯量に従い、振られることを利用し、トーンアームの変動する箇所の近傍に検出手段を設置したものである。【００１７】  以上の構成とすることで、レコード盤の載置時の偏芯位置を、容易に修正し、変動のない中心に載置できる。また、ターンテーブルは、レコード盤の滑りや移動を防ぐため、摩擦係数の高いゴムシート等が敷かれているので、修正後のレコード盤が移動して、再度偏芯する事はない。また、高音質再生の場合、レコード盤の載置後の中心部にスタビライザーと言われる錘りを載置することがあるが、このスタビライザーもレコード盤の矯正後の位置変動を防止する効果がある。【００１８】  また、この発明の偏芯検出装置は、既存のレコードプレーヤに付加して取り付けるだけで良いが、レコードには中心のずれが０．２ｍｍを超えるものも時には存在する。この場合は正しい位置に合わすにはレコードの穴位置をヤスリなどで削って修正する必要がある。【００１９】  さもなければターンテーブルの中心部のスピンドルの直径を、より小径の物を用いるか、あるいは小径になるように切削加工し、レコード盤の穴との遊びを大きくして、矯正時の自由度を上げ、より正確に中心位置に修正し���くする加工をすることもできる。また、細いスピンドルにキャップをかぶせて標準の太さにする２重構造にすることもできる。
【発明の効果】
【００２０】  以上述べたように、この発明によれば、極めて簡単な部品と回路構成でレコード載置時の偏芯矯正を可能にすることができ、この装置によりレコード載置時の偏芯を検知し、簡単な手作業で矯正することができる。このため、複雑な演算回路や、センター軸を移動矯正するためのアクチュエーターの設置などの回路や機構が不要である。勿論、機械構造によって自動で正しいセンター位置に矯正させることも可能である。【００２１】  また、既存のレコードプレーヤに簡単に後付けできるので、あらかじめレコードプレーヤの機構部に込み込むなどの煩雑な操作も要ない。
【図面の簡単な説明】
【００２２】
【図１】この発明の偏芯矯正装置のうち、第三の発明であるコイルを用い、ビート検波回路による信号出力を用いた実施例の回路図である。
【図２】この発明のコイルを用いた偏芯検出装置を用いて偏芯矯正を行う動作を説明する図である。
【発明を実施するための形態】
【００２３】  以下、本発明の実施の形態を図１及び図２に基づいて説明する。
【００２４】  図１、図２は、第三の発明の偏芯検出装置の回路と形態を示している。レコード盤８のエンド溝１２の偏芯量を検出する第一のコイル１は、ＬＣ発振回路２に接続されている。これとは別に、第二の固定コイル３と、この固定コイル３に接続されたＬＣ発振回路４を有している。これら二つの発振回路２及び４の出力信号は、混合回路で混ぜられた後にビート信号を検出するビート検波回路５に入力され、ビート検波回路による信号出力を増幅器６で増幅し、スピーカー７から音響信号として出力する。なお、本回路の電源供給部分については、図１では省略しているが、消費電力も少ないので、乾電池等の直流電源から電力供給すればよく、電源スイッチ１７も簡単なプッシュスイッチ等を設置しておけば、矯正作業中のみスイッチオンして作業後はスイッチオフしておけばよい。
【００２５】  第一のコイル１は、図２に示されるように、レコードプレーヤのトーンアーム９のカウンターウェイト１０の近傍に、支持体１１に取り付けられた第一のコイル１を設置する。カウンターウェイト１０は、レコード盤８のエンド溝の偏芯に追従して僅かに水平方向に振れる。このため、第一のコイル１のインダクタンスがカウンターウェイト１０の振れにより変動するので、ＬＣ発振回路２の発振周波数が変動する。一方、第二の固定コイル３は、偏心検出装置が収納された収納ケース１３内に設置されており、インダクタンスの変動を受けないので、ＬＣ発振回路４からの発振周波数は変動しない。そして、音響出力は、スピーカー孔１４から聞くことができる。
【００２６】  次に、発振周波数が変動するＬＣ発振回路２とＬＣ発振回路４の出力は、ビート検出回路５に送られ、両者の発振周波数の差分をビート出力として検出する。これにより、スピーカー７からは、ビート音が出力され、偏芯量が大きいほどビートの変動は大きく、偏芯がなければ、ビートの変動は殆どなくなる。
【００２７】  図１の回路例では、変動するＬＣ発振回路２の発振周波数は１３８ｋＨｚ、固定側のＬＣ発振回路４の発振周波数を１３５ｋＨｚに設定しておけば、ビートの差は３ｋＨｚとなり、これにＬＣ発振回路２の発振周波数の振れが乗る信号となる。３ｋＨｚ前後の周波数は、人が感知し易い周波数帯であり、変動を良く感知できる。このコイルに加わる電力は少ないので微弱ではあるが、この程度の発振周波数を採用すれば、各国の電磁波規制の対象範囲外であるため、シールド等の処置を施す必要も薄まる。
【００２８】  図２は、この発明の偏芯検出装置を用いたレコード盤の偏芯を矯正している動作の状況を示す図でもある。レコードプレーヤのトーンアーム９の後方のカウンターウェイト１０の近傍には、支持体１１に支持された第一のコイル１が取り付けられている。支持体１１は、トーンアーム９の台座近傍に接着剤、粘着テープ、ねじ止めあるいは吸盤による吸着等の手段で取り付けられている。第一のコイル１からの出力は、リード線１５を通じて収納ケース１３内のＬＣ発振回路２に接続されている。収納ケース１３は、レコードプレーヤの上面あるいは側面のじゃまにならない位置に取り付けてもよいし、固定せずにレコードプレーヤの近傍に置いて使用してもよい。
【００２９】  偏芯の矯正は、レコードプレーヤのターンテーブル面にレコード盤８を載置し、レコード針はエンド溝１２に乗せる。レコード盤８を回転させてトーンアーム９のカートリッジ針をレコードのエンド溝１２に載せる。偏芯検出装置の電源スイッチ１８をオンにしておけば、偏芯量によってふらついた音響出力が出力されるので、リスナーは、変動音の聞きやすい位置を確認して、この位置あたりのレコード盤８の端面を指１６で軽く押す。ビート音の変動が少なくなるまでこの動作を繰り返すことで、レコード盤８の偏芯が矯正される。
【００３０】  以上説明したように、この発明は、レコード盤の載置時の偏芯量を簡単な装置で検出し、手動でその矯正を容易におこなうことができる。
【符号の説明】
【００３１】１      第一のコイル
２      ＬＣ発振回路
３      第二の固定コイル
４      ＬＣ発振回路
５      ビート検波回路
６      増幅回路
７      スピーカー
８      レコード盤
９      トーンアーム
１０    カウンターウェイト
１１    支持体
１２    エンド溝
１３    収納ケース
１４    スピーカー孔
１５    リード線
１６    指
１７    電源スイッチ
【図１】
2019029049.tif 000003
【図２】
2019029049.tif 000004